(57)【要約】【課題】  室内の温度が体温よりも高い温度に設定された部屋を利用者が利用する当り、その利用者の身体に対する負担を軽減させることができ、利用者に対して有益な効能を十分に与えることのできる身体機能回復施設を提供する。【解決手段】  室内の温度が体温よりも高い設定温度に設定されたメインルーム、利用者がメインルームの入室前に滞在するプレルーム、利用者がメインルームの退室後に滞在するポストルームを備え、プレルーム及びポストルーム内の温度がメインルームよりも低い設定温度に設定された利用者滞在設備と、何れかのルームに滞在中の利用者のバイタルサインを基に、利用者の現状の身体状態を判断可能に構成されるとともに、利用者の身体状態を基に、該利用者が次に入室するルームの室内環境を利用者の身体状態に応じて決定する制御手段と、制御手段によって決定された室内環境をルームに提供する環境提供手段とを備えていることを特徴とする。【選択図】図１
2010261235.tif 000002
【特許請求の範囲】
【請求項１】
室内の温度が体温よりも高い温度に設定されたメインルームに利用者を所定時間滞在させることで、その利用者の身体を活性化させて身体機能を回復させる身体機能回復施設であって、一つ以上のメインルーム、利用者がメインルームの入室前に滞在する一つ以上のプレルーム、及び、利用者がメインルームの退室後に滞在する一つ以上のポストルームを備え、プレルーム及びポストルームの室内の温度がメインルームの室内の温度よりも低い温度に設定された利用者滞在設備と、メインルーム、プレルーム、又はポストルームに滞在中の利用者のバイタルサインを基に、利用者の身体状態に相応な室内環境を該利用者が次に入室するメインルーム、プレルーム、又はポストルームの室内環境として決定する制御手段と、制御手段によって決定された室内環境をメインルーム、プレルーム、又はポストルームに提供する環境提供手段とを備えていることを特徴とする身体機能回復施設。
【請求項２】
環境提供手段は、室内に音を提供する音響手段、及び室内に光を提供する照明手段の少なくとも何れか一方で構成され、制御手段は、利用者に相応な室内環境を提供すべく、音響手段から室内に発する音の態様、及び照明手段から室内に照射する光の態様の少なくとも何れか一方を決定するように構成されている請求項１に記載の身体機能回復施設。
【請求項３】
環境提供手段は、室内に音を提供する音響手段、及び部屋に光を提供する照明手段を備え、制御手段は、利用者に相応な室内環境を提供すべく、音響手段から室内に発する音の態様、及び照明手段から室内に照射する光の態様とを関連付けて決定するように構成されている請求項１に記載の身体機能回復施設。
【請求項４】
メインルーム、プレルーム、及びポストルームのうち、少なくともメインルームは、天井、床、及び壁の全てに塩製タイルが敷き詰められたソルトルームである請求項１乃至３の何れか１項に記載の身体機能回復施設。
【請求項５】
メインルームは、室内の温度が３８℃〜４３℃に設定されるとともに、室内の湿度が４２％〜４７％に設定されている請求項４に記載の身体機能回復施設。
【請求項６】
利用者に対して装着可能に構成されるとともに、装着した利用者のバイタルサインを取得可能に構成されたテレメータを更に備え、テレメータは、利用者から取得したバイタルサインに関するデータを制御手段に向けて無線送信可能に構成されている請求項１乃至５の何れか１項に記載の身体機能回復施設。
【請求項７】
利用者滞在設備は、ポストルームが二つ以上設けられ、少なくとも一つのポストルームは、室内が陽圧に設定されている請求項１乃至６の何れか１項に記載の身体機能回復施設。
【請求項８】
利用者滞在設備は、ポストルームが二つ以上設けられ、少なくとも一つのポストルームは、外部よりも酸素濃度が高濃度に設定されている請求項１乃至７の何れか１項に記載の身体機能回復施設。
【請求項９】
プレルーム、メインルーム、及びポストルームは、それぞれ複数人の利用者が同時に入室可能に構成され、制御手段は、少なくともプレルームに滞在中の複数人の利用者のバイタルサインを平均化した平均バイタルサインを基に、複数人の利用者の身体状態に相応な室内環境を該複数人の利用者が次に入室するメインルーム、プレルーム、又はポストルームのうち、少なくともメインルーム及びプレルームの室内環境として決定するように構成されている請求項１乃至８の何れか１項に記載の身体機能回復施設。
【請求項１０】
ポストルームは、複数の利用者のそれぞれが独立した空間で滞在できる複数のブースが設けられ、環境提供手段は、各ブースに対して異なる室内環境を提供可能に構成され、制御手段は、メインルームに滞在中の複数の利用者のそれぞれのバイタルサインを基に、各利用者の身体状態に相応な室内環境を該ポストルームの室内環境としてブース毎に決定するように構成されている請求項９に記載の身体機能回復施設。
【請求項１１】
プレルーム、メインルーム、及びポストルームは、それぞれ複数人の利用者が同時に入室可能に構成され、制御手段は、メインルーム、プレルーム、又はポストルームに滞在中の複数人の利用者のバイタルサインを平均化した平均バイタルサインを基に、複数人の利用者の身体状態に相応な室内環境を該複数人の利用者が次に入室するメインルーム、プレルーム、又はポストルームの室内環境として決定するように構成されている請求項１乃至８の何れか１項に記載の身体機能回復施設。
【発明の詳細な説明】
【技術分野】
【０００１】
本発明は、利用者の身体を活性化させて身体機能を回復させる身体機能回復施設に関する。
【背景技術】
【０００２】
従来から、サウナは、ストレス解消や、疲労回復、病気の予防等の多くの効能があることが知られており、多くの人に利用されている。かかるサウナは、壁や床、天井に木製の板材が張り付けられた室内を高温多湿にしたものが普及しているが、塩に多くの効能があるとして、壁や床、天井に塩を敷き詰めた室内を高温多湿にしたもの（いわゆる塩サウナ）も提供されている。
【０００３】
また、一般的なサウナや塩サウナは、何れも室内が高温多湿に設定されるため、利用者の身体に負担が大きいことから、病気によって体力の低下した人や、老人、子供等が利用できないとして、昨今、壁、床、及び天井の全てに塩製のタイルを敷き詰め、その室内の温度を体温よりも僅かに高い温度（例えば、４１℃）で且つ湿度を低湿度（例えば、４５％）に設定したソルトルームが提供されている（例えば、特許文献１参照）。
【０００４】
かかるソルトルームは、室内の温度及び湿度が利用者の身体に対する負担の少ない設定値に設定されているため、病気によって体力の低下した人や、老人、子供等であっても室内に長時間滞在できるようになっている。また、ソルトルームは、室内の温度及び湿度が塩の効能を最大限発揮させることのできる最適値になっているため、利用者の身体を活性化させるとされている。これにより、ソルトルームは、新陳代謝や、免疫力、自然治癒力等を高め、利用者の身体機能を回復させることができるとして、医療分野や美容分野等の多岐に亘る分野で注目を集めている。
【先行技術文献】
【特許文献】
【０００５】
【特許文献１】特開２００７−９２５１４号公報
【発明の概要】
【発明が解決しようとする課題】
【０００６】
ところで、上述の如く、サウナやソルトルームは、何れも室内の温度を体温よりも高く設定することで、室内に滞在する利用者の体温を上げて身体を活性化させるものであるが、外部から入室するときや外部に退室するときの環境の変化（急激な温度変化）が利用者の身体に負担を与えてしまうことがある。また、サウナやソルトルームを利用する利用者の中には、室内環境が自己の身体状態に合わずに精神的又は肉体的な負担がかかり、室内に必要時間滞在できなくなる人もいる。
【０００７】
そのため、サウナやソルトルームは、室内に必要時間滞在できれば有用な効能が得られるにも拘わらず、入退室時の環境の変化や室内環境によって有用な効能を十分に得られない場合がある。特に、ソルトルームについては、医療分野や美容分野等の多岐に亘る分野での期待度が高いため、室内に必要時間滞在できる環境を提供することが重要課題になっている。
【０００８】
そこで、本発明は、斯かる実情に鑑み、利用者の身体に対する負担を軽減させることができ、利用者に対して有益な効能を十分に与えることのできる身体機能回復施設を提供することを課題とする。
【課題を解決するための手段】
【０００９】
本発明に係る身体機能回復施設は、室内の温度が体温よりも高い温度に設定されたメインルームに利用者を所定時間滞在させることで、その利用者の身体を活性化させて身体機能を回復させる身体機能回復施設であって、一つ以上のメインルーム、利用者がメインルームの入室前に滞在する一つ以上のプレルーム、及び、利用者がメインルームの退室後に滞在する一つ以上のポストルームを備え、プレルーム及びポストルームの室内の温度がメインルームの室内の温度よりも低い温度に設定された利用者滞在設備と、メインルーム、プレルーム、又はポストルームに滞在中の利用者のバイタルサインを基に、利用者の身体状態に相応な室内環境を該利用者が次に入室するメインルーム、プレルーム、又はポストルームの室内環境として決定する制御手段と、制御手段によって決定された室内環境をメインルーム、プレルーム、又はポストルームに提供する環境提供手段とを備えていることを特徴とする。
【００１０】
なお、ここで「体温」とは、人間の一般的な平熱であり、概ね３６．５度±１％を意味する。また、「バイタルサイン」とは、身体の状態を把握するのに用いられる指数であり、脈拍、血圧、体温、及び呼吸の少なくとも何れか一つを含んだものをいう。また、「室内環境」とは、利用者の身体に影響を与える要素を室内に提供することを意味する。すなわち、「室内環境」とは、利用者の視覚に訴えるものや、利用者の聴覚に訴えるもの、利用者の臭覚に訴えるもの等の身体（肉体的又は精神的）に影響を与える要素の何れか一つ、または、これらの組み合わせを室内に提供した環境を意味する。さらに、「利用者に相応な室内環境」とは、利用者のバイタルサイン（身体状態）を正常値にする、或いは、正常値に近づけることのできる環境を意味する。
【００１１】
上記構成の身体機能回復施設によれば、利用者滞在設備において、メインルームの室内の温度が体温よりも高い温度に設定されるとともに、プレルーム及びポストルームの室内の温度がメインルームよりも低い温度に設定されているため、利用者がプレルームに一定時間滞在することで、利用者の身体がプレルームの室内の温度に慣れた状態でメインルームに入室することができる。また、メインルームに入室した利用者が外部に出るまでに、ポストルームに所定時間滞在することで、メインルームの室内の温度よりも低い温度に身体が慣れた後に外部に出ることができる。すなわち、上記構成の身体機能回復施設は、利用者がプレルームを経てメインルームに入室でき、また、メインルームを退室した後に利用者がポストルームを経て外部に出ることができるため、メインルームに対する入退室時に急激な温度変化がなく、利用者の身体に対する負担を軽減することができる。
【００１２】
また、上記構成の身体機能回復施設によれば、メインルーム、プレルーム、又はポストルームに滞在中の利用者のバイタルサインを基に、利用者の身体状態に相応な室内環境を該利用者が次に入室するメインルーム、プレルーム、又はポストルームの室内環境として決定する制御手段と、制御手段によって決定された室内環境をメインルーム、プレルーム、又はポストルームに提供する環境提供手段とを備えているため、プレルームやメインルームの室内環境（主として室内の温度）の影響で利用者の体調に変化が生じたとしても、利用者の身体状態に相応しい室内環境に設定されたメインルームやポストルームに入室することで利用者の体調を適正な状態に是正することができる。
【００１３】
これにより、室内の温度が体温よりも高い温度に設定されたメインルームを利用者が利用するに当り、その利用者の身体に対する負担を軽減させることができ、利用者に対して有益な効能を十分に与えることができる。
【００１４】
本発明の一態様として、環境提供手段は、室内に音を提供する音響手段、及び室内に光を提供する照明手段の少なくとも何れか一方で構成され、制御手段は、利用者に相応な室内環境を提供すべく、音響手段から室内に発する音の態様、及び照明手段から室内に照射する光の態様の少なくとも何れか一方を決定するように構成されていることが好ましい。なお、ここで「音の態様」とは、音の高低や、音のテンポ、リズム、音楽のタイプ、これらの組み合わせ等を意味し、「光の態様」とは、光の明暗や、光の色、発光パターン、映像、これらの組み合わせ等を意味する。このようにすれば、利用者の身体状態に変化があった場合に、利用者の身体状態を適正な状態に是正することができる。すなわち、利用者のバイタルサインに変化があった場合（例えば、脈拍の増減や血圧の上昇或いは降下があった場合）、その身体状態（状況）にあった音の態様、或いは光の態様を利用者の聴覚或いは視覚に訴えることで、その身体状態を是正することができる。例えば、バイタルサインとしての脈拍が増加する傾向、或いは血圧が上昇する傾向にある場合には、ゆっくりしたテンポの音楽を提供したり、暖色の光を提供したりすることでバイタルサインを正常値にする、或いは、正常値に近づけることができ、バイタルサインとしての脈拍が減少する傾向、或いは血圧が下降する傾向にある場合には、アップテンポの音楽を提供したり、フラッシュ的な光を提供したりすることでバイタルサインを正常値にする、或いは、正常値に近づけることができる。
【００１５】
本発明の他態様として、環境提供手段は、室内に音を提供する音響手段、及び部屋に光を提供する照明手段を備え、制御手段は、利用者に相応な室内環境を提供すべく、音響手段から室内に発する音の態様、及び照明手段から室内に照射する光の態様とを関連付けて決定するように構成されていることが好ましい。なお、ここで「音の態様」とは、音の高低や、音のテンポ、リズム、音楽のタイプ、これらの組み合わせ等を意味し、「光の態様」とは、光の明暗や、光の色、発光パターン、映像、これらの組み合わせ等を意味する。このようにすれば、利用者の身体状態に変化があった場合に、利用者の身体状態を適正な状態に効率的に是正することができる。すなわち、利用者のバイタルサインに変化があった場合（例えば、脈拍の増減や血圧の上昇或いは降下があった場合）、その身体状態（状況）にあった音の態様、及び光の態様を利用者の聴覚及び視覚に訴えることで、これらの相乗効果によって利用者の身体状態を効果的に是正できる。例えば、バイタルサインとしての脈拍が増加、或いは血圧が上昇する傾向にある場合には、ゆっくりしたテンポの音楽と、暖色の光とを提供することで、音と光の調和によってバイタルサインを効果的に正常値にする、或いは、正常値に近づけることができ、バイタルサインとしての脈拍が減少、或いは血圧が下降する傾向にある場合には、アップテンポの音楽と、フラッシュ的な光とを提供することで、音と光の調和によってバイタルサインを効果的に正常値にする、或いは、正常値に近づけることができる。
【００１６】
本発明の別の態様として、メインルーム、プレルーム、及びポストルームのうち、少なくともメインルームは、天井、床、及び壁の全てに塩製タイルが敷き詰められたソルトルームであることが好ましい。このようにすれば、少なくともメインルームにおいて、塩の効能が得られることになり、利用者に対して有用な効能を与えることができる。
【００１７】
この場合、メインルームは、室内の温度が３８℃〜４３℃に設定されるとともに、室内の湿度が４２％〜４７％に設定されてもよい。なお、メインルームをソルトルームで構成する場合、塩の効能を十分に発揮させるには、室内の温度を４１℃に設定するとともに、室内の湿度を４５％に設定することが好ましい。このようにメインルームの室内の温度及び湿度を設定することで、塩の効能を最大限引き出すことのできる環境となるため、メインルームにおいて、利用者に対して有用な効能を十分に与えることができる。
【００１８】
また、本発明のさらに別の態様として、利用者に対して装着可能に構成されるとともに、装着した利用者のバイタルサインを取得可能に構成されたテレメータを更に備え、テレメータは、利用者から取得したバイタルサインに関するデータを制御手段に向けて無線送信可能に構成されることが好ましい。このようにすれば、利用者のバイタルサイン（身体状態）を適確に把握でき、利用者が次に入室するメインルーム、プレルーム又はポストルームの室内環境を現状に応じた適正な環境に決定することができる。
【００１９】
さらに、本発明のさらに別の態様として、利用者滞在設備は、ポストルームが二つ以上設けられ、少なくとも一つのポストルームは、室内が陽圧に設定されることが好ましい。このようにすれば、利用者の身体状態を効率的に正常化させる（適正な状態に整える）ことができる。
【００２０】
また、利用者滞在設備は、ポストルームが二つ以上設けられ、少なくとも一つのポストルームは、外部よりも酸素濃度が高濃度に設定されてもよい。このようにすれば、利用者に必要な酸素を補給させることができ、利用者の身体状態を効率的に正常化させる（適正な状態に整える）ことができる。すなわち、メインルームの室内の温度が体温よりも高いため、利用者がメインルームに滞在すると発汗作用が得られ、身体的に酸素を要求した状態になる。従って、メインルームを退室した後に酸素濃度の高いポストルームに滞在することで、利用者の身体が酸素を効率的に吸収できる状態になる結果、利用者滞在設備から利用者が外部に出るにあたり、利用者の身体状態を適正な状態に整えることができる。
【００２１】
また、プレルーム、メインルーム、及びポストルームは、それぞれ複数人の利用者が同時に入室可能に構成され、制御手段は、少なくともプレルームに滞在中の複数人の利用者のバイタルサインを平均化した平均バイタルサインを基に、複数人の利用者の身体状態に相応な室内環境を該複数人の利用者が次に入室するメインルーム、プレルーム、又はポストルームのうち、少なくともメインルーム及びプレルームの室内環境として決定するように構成されてもよい。このようにすれば、メインルーム、及びプレルームで複数人の利用者を受け入れることができる。
【００２２】
この場合、ポストルームは、複数の利用者のそれぞれが独立した空間で滞在できる複数のブースが設けられ、環境提供手段は、各ブースに対して異なる室内環境を提供可能に構成され、制御手段は、メインルームに滞在中の複数の利用者のそれぞれのバイタルサインを基に、各利用者の身体状態に相応な室内環境を該ポストルームの室内環境としてブース毎に決定するように構成されることが好ましい。このようにすれば、外部に出る前の利用者のそれぞれにあった室内環境を提供することができ、各利用者の身体を外部に出るのに相応しい状態にすることができる。
【００２３】
また、プレルーム、メインルーム、及びポストルームは、それぞれ複数人の利用者が同時に入室可能に構成され、制御手段は、メインルーム、プレルーム、又はポストルームに滞在中の複数人の利用者のバイタルサインを平均化した平均バイタルサインを基に、複数人の利用者の身体状態に相応な室内環境を該複数人の利用者が次に入室するメインルーム、プレルーム、又はポストルームの室内環境として決定するように構成されてもよい。このようにすれば、メインルーム、及びプレルームで複数人の利用者を受け入れることができる。
【発明の効果】
【００２４】
本発明の身体機能回復施設によれば、室内の温度が体温よりも高い温度に設定されたメインルームを利用者が利用する当り、その利用者の身体に対する負担を軽減させることができ、利用者に対して有益な効能を十分に与えることができるという優れた効果を奏し得る。
【図面の簡単な説明】
【００２５】
【図１】図１は、本発明の一実施形態に係る身体機能回復施設の利用者滞在設備の概略平面図を示す。
【図２】図２は、同実施形態に係る身体機能回復施設の制御手段、環境提供手段、入力端末、通信手段、及びテレメータの関係を説明するためのブロック図を示す。
【図３】図３は、同実施形態に係る身体機能回復施設の利用者滞在設備の説明図であって、プレルーム（又はポストルーム）を部分的に示した斜視図を示す。
【図４】図４は、同実施形態に係る身体機能回復施設の利用者滞在設備の説明図であって、メインルームを部分的に示した斜視図を示す。
【図５】図５は、同実施形態に係る身体機能回復施設の概念図を示す。
【図６】図６は、同実施形態に係る身体機能回復施設の処理フローを示す。
【図７】図７は、同実施形態に係る身体機能回復施設のプレルーム、メインルーム、及びポストルームの室内環境を決定する際に用いられるテーブルの概念図であって、（ａ）は、バイタルサインである血圧を対象としたテーブルを示し、（ｂ）は、バイタルサインである脈拍を対象としたテーブルを示す。
【図８】図８は、本発明の他実施形態に係る身体機能回復施設のプレルーム、メインルーム、及びポストルームの室内環境を決定する際に用いられるグラフの概念図であって、（ａ）は、バイタルサインである血圧を対象としたグラフを示し、（ｂ）は、バイタルサインである脈拍を対象としたグラフを示す。
【発明を実施するための形態】
【００２６】
以下、本発明の一実施形態に係る身体機能回復施設について、添付図面を参照しつつ説明する。
【００２７】
かかる身体機能回復施設は、図１及び図２に示す如く、一つ以上のメインルームＤ、利用者がメインルームＤの入室前に滞在する一つ以上のプレルームＢ，Ｃ、及び、利用者がメインルームＤの退室後に滞在する一つ以上のポストルームＥ，Ｆを備え、プレルームＢ，Ｃ及びポストルームＥ，Ｆ内の温度がメインルームＤよりも低い温度に設定された利用者滞在設備１０と、メインルームＤ、プレルームＢ，Ｃ、又はポストルームＥ，Ｆに滞在中の利用者のバイタルサインを基に、利用者の身体状態に相応な室内環境を該利用者が次に入室するメインルームＤ、プレルームＣ、又はポストルームＥ，Ｆの室内環境として決定する制御手段２０と、制御手段２０によって決定された室内環境をメインルームＤ、プレルームＢ，Ｃ、又はポストルームＥ，Ｆに提供する（反映する）環境提供手段３０ｂ，３０ｃ，３０ｄ，３０ｅ，３０ｆとを備えている。
【００２８】
なお、ここで「体温」とは、人間の一般的な平熱であって、概ね３６．５度±１％を意味する。また、「バイタルサイン」とは、身体の状態を把握するのに用いられる指数であり、脈拍、血圧、体温、及び呼吸の少なくとも何れか一つを含んだものをいう。また、「室内環境」とは、利用者の身体に影響を与える要素を室内に提供した状態を意味する。すなわち、「室内環境」とは、利用者の視覚に訴えるものや、利用者の聴覚に訴えるもの、利用者の臭覚に訴えるもの等の身体（肉体的又は精神的）に影響を与える要素の何れか一つ、または、これらの組み合わせを室内に提供した状態を意味する。
【００２９】
本実施形態に係る利用者滞在設備１０は、図１に示す如く、一つのメインルームＤ、二つのプレルームＢ，Ｃ、及び二つのポストルームＥ，Ｆを備えている。
【００３０】
ここで、本実施形態に係る利用者滞在設備１０について具体的に説明すると、利用者滞在設備１０は、利用者がプレルームＢ，Ｃ、メインルームＤ、ポストルームＥ，Ｆの順に移動して、メインルームＤ、プレルームＢ，Ｃ、及びポストルームＥ，Ｆのそれぞれで利用者が滞在できるように構築されている。
【００３１】
そして、二つのプレルームＢ，Ｃは、隣り合って設けられている。そして、二つのプレルームＢ，Ｃは、共通の壁で区画されており、その壁には開閉可能な扉Ｇが設けられている。これにより、利用者が一方のプレルームＢから他方のプレルームＣに対して直接移動（入室）できるようになっている。
【００３２】
利用者滞在設備１０は、二つのプレルームＢ，Ｃのうちの一方のプレルームＢと隣り合うように、外部から入ってきた利用者の受け付けを行うフロントルーム（以下、本実施形態において、フロントルームを第一ゾーンということとする）Ａが設けられている。そして、第一ゾーンＡと一方のプレルーム（以下、このプレルームを第二ゾーンという）Ｂとは、共通の壁で区画されており、その壁には開閉可能な扉Ｇが設けられている。これにより、利用者が第一ゾーンＡから第二ゾーンＢに直接移動（入室）できるようになっている。
【００３３】
本実施形態において、第二ゾーンＢは、他方のプレルーム（以下、このプレルームを第三ゾーンという）Ｃ、メインルーム（以下、メインルームを第四ゾーンという）Ｄ、及びポストルームＥ，Ｆへの入室準備（例えば、着替えやうがい等）を行うようになっている。そして、利用者滞在設備１０は、第三ゾーンＣでメインルームＤに入室する直前に利用者を休息させ、メインルームＤに入室するのに適正な身体状態に整えるようになっている。
【００３４】
そして、第一ゾーンＡ、第二ゾーンＢ、及び第三ゾーンＣは、それぞれ室内の温度及び湿度が異なって設定されている。具体的には、第一ゾーンＡ、第二ゾーンＢ、及び第三ゾーンＣは、利用者が外部から利用者滞在設備１０に入る際に最初に入室する第一ゾーンＡから、第二ゾーンＢ、第三ゾーンＣの順に、室内の温度及び湿度がメインルームＤの室内の温度及び湿度に近づくように設定されている。すなわち、第一ゾーンＡから第三ゾーンＣに向かうにつれて、室内の温度及び湿度が高く設定されている。本実施形態において、第四ゾーンＤの室内の温度が４１℃で湿度が４５％に設定されており、これを前提に、第一ゾーンＡの室内の温度が２５℃で湿度が３０％に設定され、第二ゾーンＢの室内の温度が３０℃で湿度が３５％に設定され、第三ゾーンＣの室内の温度が３５℃で湿度が４０％に設定されている。なお、ここで挙げた各ゾーンＡ，Ｂ，Ｃにおける温度及び湿度は、基準値であり、扉Ｇの開閉等によって多少の上昇又は下降があることは言うまでもない。
【００３５】
そして、本実施形態の第一ゾーンＡ、第二ゾーンＢ、及び第三ゾーンＣのそれぞれは、図３に示す如く、部屋を画定する壁、床、及び天井のうち、床の全面、及び壁の下側の領域（例えば、下半分の領域）に塩製タイルＴ…が敷き詰められている。なお、塩製タイルＴ…は、天然岩塩をタイル状に切り出したものであってもよいが、天然岩塩は、種々の不純物を含んでいるため、本実施形態においては、溶融させた塩を金型に流し込んで成形したものを採用している。これにより、塩製タイルＴ…は、白色性の高いものになっている。すなわち、天然岩塩は、不純物を含んでいるため、そのままでは薄ピンク色をしているが、本実施形態に係る塩製タイルＴ…は、一度溶融させているため、不純物が蒸発等で殆どなくなっており、塩そのものの色になっている。
【００３６】
図１に戻り、第四ゾーンＤは、利用者の身体の活性を最も高めることを目的としたところで、第三ゾーンＣに隣り合って設けられている。そして、第四ゾーンＤは、第三ゾーンＣと共通の壁で区画されており、その壁に開閉可能な扉Ｇが設けられている。これにより、利用者が第三ゾーンＣから第四ゾーンＤに直接移動（入室）できるようになっている。
【００３７】
そして、第四ゾーンＤは、上述の如く、利用者の身体を活性化させることを目的としているため、図４に示す如く、部屋を画定する床、壁、天井の全てに対し、塩製タイルＴ…が全面に敷き詰められている。なお、第四ゾーンＤの床、壁、天井に敷き詰められた塩製タイルＴ…は、第一ゾーンＡ、第二ゾーンＢ、第三ゾーンＣの床及び壁に敷き詰められたものと同様に、溶融させた塩を金型に流し込んで成形したものを採用している。
【００３８】
図１に戻り、二つのポストルームＥ，Ｆは、隣り合って設けられている。そして、二つのポストルームＥ，Ｆは、共通の壁で区画されており、その壁に開閉可能な扉Ｇが設けられている。これにより、本実施形態に係る利用者滞在設備１０は、一方のポストルーム（以下、第五ゾーンという）Ｅから他方のポストルーム（以下、第六ゾーンという）Ｆに直接移動（入室）できるようになっている。
【００３９】
本実施形態に係る利用者滞在設備１０は、第五ゾーンＥが第四ゾーン（メインルーム）Ｄと隣り合うように設けられている。そして、第四ゾーンＤ及び第五ゾーンＥは、共通する壁で区画されており、その壁には開閉可能な扉Ｇが設けられている。これにより、利用者が第四ゾーンＤから第五ゾーンＥに直接移動（入室）できるようになっている。そして、第六ゾーンＦは、上述の如く、第五ゾーンＥと隣り合うように設けられるのに併せて、第二ゾーンＢにも隣り合うように設けられている。
【００４０】
そして、利用者滞在設備１０は、第五ゾーンＥ及び第二ゾーンＢが共通する壁で区画され、その壁に開閉可能な扉Ｇが設けられている。これにより、本実施形態に係る利用者滞在設備１０は、第六ゾーンＦから第二ゾーンＢに直接移動（入室）できるようにもなっている。従って、本実施形態に係る利用者滞在設備１０は、利用者が第二ゾーンＢから順に第六ゾーンＦに移動した後に第二ゾーンＢに戻るようになっている。すなわち、本実施形態に係る利用者滞在設備１０は、当該施設のスタッフが滞在するスタッフルームＳを取り囲むように、第一ゾーンＡ、第二ゾーンＢ、第三ゾーンＣ、第四ゾーンＤ、第五ゾーンＥ、第六ゾーンＦが設けられている。
【００４１】
第五ゾーンＥは、第四ゾーンＤから退室した利用者を滞在させることで、第四ゾーンＤで活性化した利用者の身体状態を外部に出るのに適した状態に近づけるために設けられている。また、本実施形態に係る利用者滞在設備１０は、第四ゾーンＤの室内の温度が体温よりも高い温度に設定されていることから、第四ゾーンＤで利用者が発汗するため、第五ゾーンＥは、利用者の衣服等を乾燥させる乾燥室としての機能を有している。そして、第六ゾーンＦは、第五ゾーンＥにおける利用者の身体状態をさらに、外部に出るのに適した状態に近づけるために設けられている。
【００４２】
これに伴い、第五ゾーンＥ、及び第六ゾーンＦは、それぞれ室内の温度及び湿度が異なって設定されている。具体的には、第五ゾーンＥ、及び第六ゾーンＦは、第四ゾーン（メインルーム）Ｄから直接入室する第五ゾーンＥから第六ゾーンＦの順に、各室内の温度及び湿度が低くなるように設定されている。本実施形態においては、第六ゾーンＦから第二ゾーンＢに入室できるようになっているため、第六ゾーンＦの室内の温度及び湿度が第二ゾーンＢと同一に設定されている。本実施形態において、第四ゾーンＤの室内の温度が４１℃で湿度が４５％に設定されることを前提に、第五ゾーンＥの室内の温度が３５℃で湿度が４０％に設定され、第六ゾーンＦの室内の温度が３０℃で湿度が３５％に設定されている。なお、ここで挙げた各ゾーンにおける温度及び湿度は、基準値であり、扉Ｇの開閉等によって多少の上昇又は下降があることは言うまでもない。
【００４３】
そして、本実施形態の第五ゾーンＥ、及び第六ゾーンＦのそれぞれは、図３に示す如く、部屋を画定する壁、床、及び天井のうち、床の全面、及び壁の下側の領域（例えば、下半分の領域）に塩製タイルＴ…が敷き詰められている。なお、第五ゾーンＥ、及び第六ゾーンＦは、第一ゾーンＡ，第二ゾーンＢ、及び第三ゾーンＣと同様に、溶融させた塩を金型に流し込んで成形した塩タイルＴ…が採用している。
【００４４】
そして、本実施形態に係る身体機能回復施設１は、上記利用者滞在設備１０を備えることを前提に、上述の如く、制御手段２０が第一ゾーンＡ、第二ゾーンＢ、第三ゾーンＣ、第四ゾーンＤ、第五ゾーンＥ、又は第六ゾーンＦに滞在中の利用者のバイタルサインを基に、利用者の身体状態に相応な室内環境を該利用者が次に入室する第二ゾーンＢ、第三ゾーンＣ、第四ゾーンＤ、第五ゾーンＥ、又は第六ゾーンＦの室内環境として決定するようになっている。
【００４５】
制御手段２０は、図２に示す如く、身体機能回復施設１の中枢であり、本実施形態においては、広く一般に普及しているパーソナルコンピュータが採用されている。該制御手段２０は、種々の演算処理を行うＣＰＵ２００や、データを記憶させるＲＡＭ２１０及びＲＯＭ２２０、各種メディアに対するデータの読み書きを行うメディアドライブ２３０、情報を入力するための入力手段２４０（キーボード２４０ａ及びマウス２４０ｂ）、情報を表示するためのモニタ２５０等を備えており、当該身体機能回復施設１のシステムを実行するためのプログラムがＲＡＭ２１０又はＲＯＭ２２０（場合によってはメディア）に記憶されており、ＣＰＵ２００がプログラムを実行することで本実施形態に係る施設１をコントロール（制御）するようになっている。
【００４６】
本実施形態に係る制御手段２０は、前記スタッフルームＳに設置されており（図１参照）、スタッフルームＳでスタッフが利用者のバイタル（身体状態）や各ゾーンＡ，Ｂ，Ｃ，Ｄ，Ｅ，Ｆの室内環境について一括管理できるようになっている。なお、本実施形態において、各ゾーンＡ，Ｂ，Ｃ，Ｄ，Ｅ、Ｆの温度及び湿度を設定温度及び設定湿度で維持させる必要があるため、制御手段２０は、後述する温度管理手段３２０（温度センサ）及び湿度管理手段３３０（湿度センサ）からの信号を基に、各ゾーンＡ，Ｂ，Ｃ，Ｄ，Ｅ，Ｆの温度及び湿度を設定温度及び設定湿度にするための空調装置（図示しない）を制御するようになっている。
【００４７】
前記環境提供手段３０ｂ，３０ｃ，３０ｄ，３０ｅ，３０ｆは、第二ゾーンＢ、第三ゾーンＣ、第四ゾーンＤ、第五ゾーンＥ、及び第六ゾーンＦに対してそれぞれ独立して設けられており、室内に音を提供する音響手段３００、及び室内に光を提供する照明手段３１０の少なくとも何れか一方で構成され、制御手段２０は、音響手段３００から室内に発する音の態様、及び照明手段３１０から室内に照射する光の態様の少なくとも何れか一方を決定するように構成される。
【００４８】
本実施形態に係る環境提供手段３０ｂ，３０ｃ，３０ｄ，３０ｅ，３０ｆは、室内に音を提供する音響手段３００、及び部屋に光を提供する照明手段３１０を備え、制御手段２０は、音響手段３００から室内に発する音の態様、及び照明手段３１０から室内に照射する光の態様とを関連付けて決定するように構成されている。
【００４９】
ここで具体的に説明すると、本実施形態に係る身体機能回復施設１は、第二ゾーンＢ、及び第三ゾーンＣにおいて、床面と部屋を画定する壁の下側領域とに塩製タイルＴ…が敷き詰められているため、これらのゾーンＢ，Ｃの照明手段３１０には室内から壁面や天井面、床面に向けて光や画像等を投影するプロジェクターが採用されている。これに対し、第四ゾーンＤは、壁、天井、及び床の全面に塩製タイルＴ…が敷き詰められており、この塩製タイルＴ…の白色性が高いことから、第四ゾーンＤの照明手段３１０は、塩製タイルＴ…の背面側に配置されたＲＧＢ各色のＬＥＤで構成されている。これにより、ＬＥＤの光が塩製タイルＴ…を透過して室内に照射されるようになっている。
【００５０】
本実施形態に係る利用者滞在設備１０は、第二ゾーンＢ、第三ゾーンＣ、第四ゾーンＤ、第五ゾーンＥ、及び第六ゾーンＦにおいて、複数人ずつ滞在させるようになっている。そして、第五ゾーンＥ及び第六ゾーンＦは、第一ゾーンＡ、第二ゾーンＢ、及び第三ゾーンＣと同様に、床面と部屋を画定する壁の下側領域とに塩製タイルＴ…が敷き詰められているため、第五ゾーンＥ及び第六ゾーンＦの照明手段３１０には室内から壁面や天井面、床面に向けて光や画像等を投影するプロジェクターを採用することが可能であるが、本実施形態に係る第五ゾーンＥ、及び第六ゾーンＦにおいては、利用者それぞれに合った室内環境を提供できるようになっている。すなわち、第五ゾーンＥ及び第六ゾーンＦは、複数の利用者のそれぞれが独立した空間で滞在できる複数のブースＥａ，Ｅｂ…，Ｆａ，Ｆｂ…が設けられている。
【００５１】
これに伴い、本実施形態に係る第五ゾーンＥ及び第六ゾーンＦの環境提供手段３０ｅ，３０ｆは、各ブースＥａ，Ｅｂ…，Ｆａ，Ｆｂ…に対して異なる室内環境を提供できるように構成されている。具体的には、第五ゾーンＥ、及び第六ゾーンＦに係る環境提供手段３０ｅ，３０ｆは、複数の利用者がそれぞれ別個に使用できるように配置された複数のヘッドフォン付きのモニタで構成されており、各利用者がヘッドフォンを付けながらモニタを見ることで、各利用者の身体状態にあった音と映像（光）を提供できるようになっている。
【００５２】
また、本実施形態において、各利用者がそれぞれ独立して使用するモニタで第五ゾーンＥの環境提供手段３０ｅを構成しているため、第五ゾーンＥの環境提供手段（モニタ）３０ｅにより、利用者が補給する必要のあるもの（例えば、第四ゾーンＤで失った水分や栄養分等）を個別に告知し、その第五ゾーンＥ内で水分や必要な栄養分（サプリメント）を補給させるようになっている。なお、利用者が第四ゾーンＤに滞在中に取得した各利用者のバイタルサインの傾向に基に、利用者毎に身体に補給する必要のあるものが何であるかを制御手段２０が推測してモニタにその内容を表示させるようになっている。
【００５３】
そして、利用者滞在設備１０は、第五ゾーンＥ及び第六ゾーンＦの少なくとも何れか一方の室内が外部よりも酸素濃度が高濃度に設定される。また、利用者滞在設備１０は、第五ゾーンＥ及び第六ゾーンＦの少なくとも何れか一方の室内が陽圧に設定される。本実施形態においては、第五ゾーンＥの室内が酸素濃度が高濃度に設定される一方、第六ゾーンＦの室内が陽圧で且つ酸素濃度が高濃度に設定されている。
【００５４】
本実施形態に身体機能回復施設１は、各ゾーンＢ，Ｃ，Ｄ，Ｅ，Ｆにおいて室内の温度及び湿度が上述の如く設定温度及び設定湿度に設定されることから、各ゾーンＡ，Ｂ，Ｃ，Ｄ，Ｅ，Ｆの環境提供手段３０ｂ，３０ｃ，３０ｄ，３０ｅ，３０ｆは、室内の温度及び湿度を管理する温度管理手段３２０及び湿度管理手段３３０を備えている。前記温度管理手段３２０は、一般的な温度センサであり、湿度管理手段３３０は、湿度センサで構成されている。なお、第一ゾーンＡは、フロントルームであるため、プレルームＢ，Ｃや、メインルームＤ、ポストルームＥ，Ｆのように環境提供手段３０ｂ，３０ｃ，３０ｄ，３０ｅ，３０ｆは必須ではないが、本実施形態においては、上述の如く、第一ゾーンＡにおいても温度及び湿度を管理しているため、他のゾーンＢ，Ｃ，Ｄ，Ｅ，Ｆと同様に、温度管理手段３２０及び湿度管理手段３３０を備えた環境提供手段３０ａが設けられている。
【００５５】
そして、本実施形態に係る身体機能回復施設１は、第五ゾーンＥの室内の酸素濃度が高濃度に設定されるため、第五ゾーンＥの環境提供手段３０ｅは、酸素濃度を監視する酸素濃度管理手段３５０を更に備えている。また、本実施形態に係る身体機能回復施設１は、第六ゾーンＦの室内を陽圧で且つ酸素濃度を高濃度に設定するため、第六ゾーンＦの環境提供手段３０ｆは、室内の圧力を監視する圧力管理手段３４０、及び酸素濃度を監視する酸素濃度管理手段３５０を更に備えている。これに伴い、前記制御手段２０は、圧力管理手段（圧力センサ）３４０及び酸素濃度管理手段（濃度センサ）３５０の検知結果を基に、室内を陽圧にするためのブロア装置（図示しない）の出力制御と酸素供給ラインのバルブ（図示しない）の開閉制御を行うようにもなっている。
【００５６】
そして、各ゾーンＡ，Ｂ，Ｃ，Ｄ，Ｅ，Ｆの環境提供手段３０ａ，３０ｂ，３０ｃ，３０ｄ，３０ｅ，３０ｆ（音響手段３００、照明手段３１０、温度管理手段３２０、湿度管理手段３３０（第五ゾーンＥにおいては更に酸素濃度管理手段３５０を備え、第六ゾーンＦにおいてはさらに圧力管理手段３４０、酸素濃度管理手段３５０を備える。））が制御手段２０に繋がるバスラインＬに接続されており、データのやり取りや制御手段２０からの指示を受けるようになっている。
【００５７】
そして、本実施形態に係る身体機能回復施設１は、上記構成に加え、利用者に対して装着可能に構成されるとともに、装着した利用者のバイタルサインを取得可能に構成されたテレメータ５０…を更に備えている。テレメータ５０…は、利用者から取得したバイタルサインに関するデータを制御手段２０（後述する受信手段６０）に向けて無線送信可能に構成されている。すなわち、本実施形態に係る身体機能回復施設１に用いられるテレメータ５０…は、利用者から取得したバイタルサインをデータ化した上でそのデータを発信する発信装置（図示しない）を備えている。これに伴い、バイタルサインに関するデータを制御手段２０に送信すべく、制御手段２０に繋がるバスラインＬにテレメータ５０…からのデータを受信する受信手段６０が電気的に接続されている。
【００５８】
かかるテレメータ５０…は、第二ゾーンＢ、第三ゾーンＣ、第四ゾーンＤ、第五ゾーンＥ、又は、第六ゾーンＦの何れかで滞在中の利用者のバイタルサインを取得して送信するものである。そして、本実施形態に係る身体機能回復施設１は、第一ゾーンＡに入力端末４０が設置されており、第一ゾーンＡにおいて問診等を行う際に血圧計や体温計で測定したバイタルサインをデータとして入力端末４０で入力して制御手段２０に送信するようになっている。該入力端末４０は、制御手段２０に繋がるバスラインＬに接続されている。なお、入力端末４０は、データ入力用のキーボードやタッチパネル等を採用することができる。
【００５９】
本実施形態に係る身体機能回復施設１は、以上の構成からなり、次に、図５に示す本実施形態に係る身体機能回復施設１の概念図、及び図６に示すフロー図を用いて該施設（システム）１の作動について説明する。なお、以下の説明において、利用者滞在設備１０の第一ゾーンＡに入った利用者Ｍが、第二ゾーンＢ、第三ゾーンＣ、第四ゾーンＤ、第五ゾーンＥ、第六ゾーンＦの順に移動すること（利用者Ｍの移動）を基準にして説明することとする。
【００６０】
まず、利用者Ｍが第一ゾーンＡに入ると、そこで当該施設１のスタッフによって利用者Ｍに対する観察、問診が行われるとともに、図示しない定置式のテレメータ（血圧計や体温計等）でその利用者Ｍのバイタルサインが取得される。
【００６１】
ここで、観察や問診、測定の結果、（１）脈拍１１０以上又は４０以下の場合、（２）最高血圧１８０ｍｍＨｇ以上又は最低血圧７０ｍｍＨｇ以下の場合、（３）体温が３７．５℃以上の場合、（４）気分不良、顔面蒼白、冷や汗、吐き気、嘔吐、脈拍や血圧の急激な上昇や低下がある場合、（５）眼球の動きが不自然な場合、（６）チアノーゼがある場合、（７）歩行障害がある場合、（８）進行性胸痛がある場合、（９）強度の息切れがある場合、（１０）下肢進行性疼痛、痺れがある場合、（１１）進行性頭痛がある場合、（１２）関節可動域制限がある場合、（１３）進行性伝搬性ウイルス疾患がある場合、（１４）呂律障害がある場合、（１５）視野狭窄、霧視がある場合、入室を断ることになる。
【００６２】
これに対し、入室を許可することができる場合、第一ゾーンＡにおいてスタッフが取得したバイタルサインに関するデータＤ１がスタッフによって入力端末４０を用いて入力される。そして、本実施形態においては、複数人の利用者Ｍが単位人数で各ゾーンＢ，Ｃ，Ｄ，Ｅ，Ｆに入室するようにしているため、第一ゾーンＡにおいて全ての利用者Ｍ（同一グループの利用者Ｍ）のバイタルサインを取得し、スタッフが入力端末４０で同一グループの利用者Ｍ（全利用者Ｍ）のバイタルサインに関するデータＤ１を入力する（Ｓ１０）。そうすると、入力されたバイタルサインに関するデータＤ１は、制御装置２０に送信される。
【００６３】
また、この第一ゾーンＡでは、各利用者Ｍにテレメータ５０…を装着してもらい、第二ゾーンＢ、第三ゾーンＣ、第四ゾーンＤ、第五ゾーンＥ、及び第六ゾーンＦのそれぞれで各利用者Ｍのバイタルサインを自動的に取得できる状態にする。
【００６４】
そして、制御手段２０は、入力端末４０から送信されたデータＤ１を基に利用者Ｍのバイタルサインを分析し（Ｓ２０）、利用者Ｍの身体状態を把握する。本実施形態においては、複数人の利用者Ｍが、グループ単位で各ゾーンＢ，Ｃ，Ｄ，Ｅ，Ｆに入室するため、制御手段２０は、複数人の利用者Ｍのバイタルサインを平均化処理する。ここでの平均化は、全ての利用者Ｍのバイタルサインの合計を人数で割ることにより得られる。
【００６５】
そして、入室が許可された利用者Ｍのバイタルサインを平均化したもの（以下、平均バイタルサインという）を基に、制御手段２０は次の部屋（第二ゾーンＢ）の室内環境を決定する（Ｓ３０）。
【００６６】
ここで、次に入室するゾーンＢの室内環境を決定するためのバイタルサインには、主として血圧と脈拍が用いられ、必要に応じて体温が用いられる。
【００６７】
ここでの室内環境の決定は、予め設定された第一ゾーンＡでの標準的なバイタルサイン（以下、標準バイタルサインという）と、平均バイタルサインとを比較することで行う。この比較により、平均バイタルサインが標準バイタルサインよりも低いと判断した場合、第二ゾーンＢにおいて利用者Ｍの平均バイタルサインを上昇させる室内環境を選択乃至決定し、平均バイタルサインが標準バイタルサインよりも高いと判断した場合、第二ゾーンＢにおいて利用者Ｍの平均バイタルサインを低下させる室内環境を選択乃至決定する。
【００６８】
ここで、第二ゾーンＢにおいて利用者Ｍの平均バイタルサインを上昇させる室内環境は、第二ゾーンＢの音響手段３００により、脈拍（好ましくは心拍数）よりもアップテンポなリズムの音（音楽）や、重低音の効いた音（音楽）を発したり、第二ゾーンＢの照明手段３１０により、暖色系でカラーコーディネートした発光や、フラッシュライトの発光、晴天時の光度での発光をしたりすることにより得られる。これに対し、第二ゾーンＢにおいて利用者Ｍの平均バイタルサインを低下させる室内環境は、第二ゾーンＢの音響手段３００により、脈拍（好ましくは心拍数）よりもダウンテンポなリズムの音（音楽）や、中高音の効いた音（音楽）を発したり、第二ゾーンＢの照明手段３１０により、寒色系でカラーコーディネートした発光や、緩衝的な発光、曇天時の光度での発光をしたりすることにより得られる。
【００６９】
なお、本実施形態においては、音の態様と光の態様とを連動させるように音響手段３００及び照明手段３１０を作動させるようにしており、音と光との相乗効果で平均バイタルサインを標準バイタルサインに効率的に近づけることができるようになっている。
【００７０】
そして、制御手段２０は、先に入室した利用者Ｍが第二ゾーンＢに居るか否かを判断する（Ｓ４０）。なお、各ゾーンＢ，Ｃ，Ｄ，Ｅ，Ｆでの利用者Ｍの存在の有無は、スタッフルームＳに居るスタッフが監視カメラ等で確認するようにしてもよいが、本実施形態においては、各ゾーンＢ，Ｃ，Ｄ，Ｅ，Ｆ内の設けられたセンサ（例えば、熱変化や空気の流れ等で人の存在の有無を検知する人検知センサ）の検知結果を基に制御手段２０が判断する。
【００７１】
そして、制御手段２０は、先に入室した利用者Ｍが次の第二ゾーンＢに存在しないと判断すると、決定した室内環境に関する信号Ｅ１を環境提供手段３０ｂに送信し、これに伴って第二ゾーンＢの室内環境が変更されることになる（Ｓ５０）。そして、制御手段２０は、第二ゾーンＢに利用者Ｍが入室したかどうかを判断し（Ｓ６０）、第二ゾーンＢに利用者Ｍが入室したと判断すると、そのゾーンＣ，Ｄ，Ｅ，Ｆでの利用者Ｍの滞在時間を監視する。そして、テレメータ５０…は、第二ゾーンＢ内の利用者Ｍのバイタルサインを取得し、その取得したバイタルサインに関するデータＤ２を無線通信によって制御手段２０に送信することになる（Ｓ７０，Ｓ８０）。
【００７２】
そして、制御手段２０は、利用者Ｍが第二ゾーンＢで滞在する間、各利用者Ｍのテレメータ５０…から順次送信されるバイタルサインのデータＤ２を基に各利用者Ｍの体調に異常があるか否かについて判断する（Ｓ９０）。本実施形態において、制御手段２０は、テレメータ５０…から送信されてくるバイタルサイン（血圧、脈拍）のデータＤ２が、（１）脈拍１１０以上又は４０以下の場合、（２）最高血圧１８０ｍｍＨｇ以上又は最低血圧７０ｍｍＨｇ以下の場合に、体調不良であると判断するようになっている。
【００７３】
そして、体調不良であると判断した場合（Ｓ９０でＮＯ）、音響手段３００から該当する利用者Ｍに退室する旨（当該施設１の利用を終了する旨）を通知する（Ｓ２２０）。これに対し、体調に大きな変化がないと判断した場合（Ｓ９０でＹＥＳ）、テレメータ５０…は、第二ゾーンＢに滞在する全期間でその第二ゾーンＢ内の利用者Ｍのバイタルサインを取得するとともに、その取得したバイタルサインに関するデータＤ２を無線通信によって制御手段２０に送信する。そして、制御手段２０は、各利用者Ｍのテレメータ５０…から順次送信されるバイタルサインのデータＤ２を基に各利用者Ｍの体調に異常があるか否かについて判断する（Ｓ９０）。
【００７４】
そして、制御手段２０は、タイマのカウントを基に利用者Ｍが第二ゾーンＢに入室して必要時間（例えば、第二ゾーンＢにおいて３０分）経過したと判断すると（Ｓ１００）、第二ゾーンＢで滞在中に取得したバイタルサイン（データＤ２）を分析し（Ｓ１１０）、利用者Ｍのバイタルサイン（分析結果）を基に、その利用者Ｍが次に入室する第三ゾーンＣの室内環境を決定する（Ｓ１２０）。
【００７５】
本実施形態においては、複数人の利用者Ｍが同一グループとして同時に同じゾーンＢ，Ｃ，Ｄ，Ｅ，Ｆに入るため、制御手段２０は、同一グループの利用者Ｍ（体調に異常がないと判断された利用者Ｍ）の平均バイタルサインを基に、そのグループが次に入室するゾーンＣ，Ｄ，Ｅ，Ｆの室内環境を決定する。
【００７６】
ここで、各ゾーンＢ，Ｃ，Ｄ，Ｅ，Ｆの室内環境の決定方法について説明すると、平均バイタルサインを標準バイタルサインと比較するに当り、図７に示すように、標準バイタルサインがゾーンＢ，Ｃ，Ｄ，Ｅ，Ｆに入室した時点から所定の経過時間毎（例えば、５分毎）に設定されたテーブルＴａ，Ｔｂが用いられる。
【００７７】
そして、制御手段２０は、テーブルＴａ，Ｔｂ上の標準バイタルサインと平均バイタルサインとを経過時間毎で対応させ、時間（経過時間）毎に標準バイタルサインと平均バイタルサインとの差を算出するとともに、第二ゾーンＢに滞在する全期間（全時間）で平均バイタルサインが標準バイタルサインよりも高い割合（或いは低い割合）を算出する。その結果、第二ゾーンＢに滞在する全期間（全時間）で平均バイタルサインが標準バイタルサインよりも低い割合が多い場合、次のゾーンＣにおいて利用者Ｍの平均バイタルサインを上昇させる室内環境を選択乃至決定し、第二ゾーンＢに滞在する全期間（全時間）で平均バイタルサインが標準バイタルサインよりも高い割合が多い場合、次のゾーンＣにおいて利用者Ｍの平均バイタルサインを低下させる室内環境を選択乃至決定する。
【００７８】
ここで、次のゾーンＣにおいて利用者Ｍの平均バイタルサインを上昇させる室内環境は、次のゾーンＣの音響手段３００により、脈拍（好ましくは心拍数）よりもアップテンポなリズムの音（音楽）や、重低音の効いた音（音楽）を発したり、次のゾーンＣの照明手段３１０により、暖色系でカラーコーディネートした発光や、フラッシュライトの発光、晴天時の光度での発光をしたりすることにより得られる。これに対し、次のゾーンＣにおいて利用者Ｍの平均バイタルサインを低下させる室内環境は、次のゾーンＣの音響手段３００により、脈拍（好ましくは心拍数）よりもダウンテンポなリズムの音（音楽）や、中高音の効いた音（音楽）を発したり、次のゾーンＣの照明手段３１０により、寒色系でカラーコーディネートした発光や、緩衝的な発光、曇天時の光度での発光をしたりすることにより得られる。
【００７９】
なお、本実施形態においては、音の態様と光の態様とを連動させるように音響手段３００及び照明手段３１０を作動させるようにしており、音と光との相乗効果で平均バイタルサインを標準バイタルサインに効率的に近づけることができるようになっている。
【００８０】
なお、室内環境を決定する指標となるバイタルサインが二つ以上ある場合であって、それらのバイタルサインの傾向が異なる場合、全体として平均バイタルサインが標準バイタルサインよりも低い割合（或いは高い割合）が多いか（或いは少ないか）否かによって次のゾーンＣ，Ｄ，Ｅ，Ｆの室内環境を決定する。
【００８１】
図５及び図６に戻り、制御手段２０は、利用者Ｍのバイタルサインを分析し（Ｓ１１０）、次のゾーンＣの室内環境を決定すると（Ｓ１２０）、先に入室した利用者Ｍが次のゾーンＣに居るか否かを判断し（Ｓ１３０）、先に入室した利用者Ｍが次のゾーンＣに存在しないと判断すると（Ｓ１３０でＮＯ）、利用者Ｍに次のゾーンＣに移動する旨が通知する（Ｓ１４０）。なお、利用者Ｍに対する通知は、音響手段３００を用いてもよいし、照明手段３１０による光の演出によって行ってもよい。
【００８２】
そして、制御手段２０は、決定した室内環境に関する信号Ｅ２を次に入室するゾーンＣの室内環境提供手段３０ｃに送信し、これに伴って、次のゾーンＣの室内環境が事前のゾーンＢで決定した内容に変更されることになる（Ｓ１５０）。すなわち、制御手段２０から信号Ｅ２が送信されることで、次のゾーンＣの室内環境提供手段３０ｃがその室内に決定された環境を提供する（音響手段３００が決定した態様の音を提供するとともに、照明手段３１０が決定した態様の光を室内に提供する）。
【００８３】
そして、制御手段２０は、次のゾーンＣに利用者Ｍが入室したかどうかを判断し（Ｓ１６０）、次のゾーンＣに利用者Ｍが入室したと判断すると、そのゾーンＣでの利用者Ｍの滞在時間を監視する。そして、テレメータ５０…は、そのゾーンＣでの利用者Ｍのバイタルサインを取得するとともに、取得したバイタルサインに関するデータＤ３を無線通信によって制御手段２０に送信する（Ｓ１７０，Ｓ１８０）。
【００８４】
そして、制御手段２０は、利用者がそのゾーンＣで滞在する間、各利用者Ｍのテレメータ５０…から順次送信されるバイタルサインのデータＤ３を基に各利用者Ｍの体調に異常があるか否かについて判断する（Ｓ１９０）。そして、ここでも制御手段２０は、テレメータ５０…から送信されてくるバイタルサイン（血圧及び脈拍）のデータＤ３が、（１）脈拍１１０以上又は４０以下の場合、（２）最高血圧１８０ｍｍＨｇ以上又は最低血圧７０ｍｍＨｇ以下の場合に、体調不良であると判断する。
【００８５】
そして、体調不良であると判断した場合（Ｓ１９０でＮＯ）、音響手段３００から該当する利用者Ｍに退室する旨（施設の利用を終了する旨）が通知されることになる（Ｓ２２０）。これに対し、体調に大きな変化がないと判断された場合（Ｓ１９０でＹＥＳ）、テレメータ５０…は、利用者Ｍのバイタルサインを取得するとともに、取得したバイタルサインに関するデータＤ３を制御手段２０に無線送信し続け、制御手段２０が各利用者Ｍのテレメータ５０…から順次送信されるバイタルサインのデータＤ３を基に各利用者Ｍの体調に異常があるか否かについて判断する（Ｓ１７０，Ｓ１８０，Ｓ１９０，Ｓ２００）。
【００８６】
そして、利用者Ｍが滞在しているゾーンＣでの滞在時間が必要時間経過したと判断すると（Ｓ２００でＹＥＳ）、利用者Ｍが次に進むゾーンＤ，Ｅ，Ｆがあるか否かを判断し（Ｓ２１０）、次のゾーンＤ，Ｅ，Ｆがある場合には、次のゾーンＤ，Ｅ，Ｆの室内環境を決定すべく、上述の処理（Ｓ１１０〜Ｓ２１０）が繰り返されることになる。
【００８７】
すなわち、利用者Ｍが次に進むゾーンＤ，Ｅ，Ｆがある場合、ゾーンＣ，Ｄ，Ｅに滞在する利用者Ｍのテレメータ５０からバイタルサインに関するデータＤ３，Ｄ４，Ｄ５が制御装置２０に送信され、そのデータＤ３，Ｄ４，Ｄ５を基に制御手段２０が現状の利用者Ｍの身体状態に相応する室内環境を次のゾーンＤ，Ｆ，Ｆの室内環境として決定し、先の利用者Ｍが次のゾーンＣ，Ｄ，Ｅ，Ｆに存在しないことを確認した上で、制御手段２０が決定した室内環境に関する信号Ｅ３，Ｅ４，Ｅ５を室内環境提供手段３０ｃ，３０ｄ，３０ｅ，３０ｆに送信する。これにより、利用者Ｍが入室する次のゾーンＤ，Ｅ、Ｆの室内環境は、利用者ＭのゾーンＣ，Ｄ，Ｅ，Ｆの移動に併せて利用者Ｍの身体状態に応じた室内環境（利用者Ｍの身体状態を正常化させる、又は正常な状態に近づけることのできる室内環境）に変更される（Ｓ１１０〜Ｓ２１０）。なお、本実施形態に係る施設１は、各ゾーンで滞在するのに必要な滞在時間として、第三ゾーンＣで２０分、第四ゾーンＤで４５分、第五ゾーンＥで３０分、第六ゾーンＦで２０分に設定されている。
【００８８】
本実施形態において、第五ゾーンＥ及び第六ゾーンＦで利用者Ｍ毎に室内環境を提供できるように複数のブースＥａ，Ｅｂ…，Ｆａ，Ｆｂ…が設けられているため、利用者Ｍが第四ゾーンＤから第五ゾーンＥに移動する場合及び第五ゾーンＥから第六ゾーンＦに移動する場合には、次のゾーンＥ，Ｆの室内環境（各ブースＥａ，Ｅｂ…，Ｆａ，Ｆｂ…の室内環境）は、その直前のゾーンＤ，Ｅで滞在中の各利用者Ｍから所得したバイタルサイン（個々のバイタルサイン）と標準バイタルサインとを比較（テーブルＴａ，Ｔｂ上の標準バイタルサインと各個人のバイタルサインとを経過時間毎で比較）し、時間（経過時間）毎に標準バイタルサインとバイタルサインとの差を算出する。
【００８９】
そして、制御手段２０は、第四ゾーンＤ又は第五ゾーンＥの滞在時間の全時間でバイタルサインが標準バイタルサインよりも高い割合（或いは低い割合）を算出し、滞在時間の全期間においてバイタルサインが標準バイタルサインよりも低い割合が多い場合、次のゾーンＥ，Ｆ（次のゾーンＥ，ＦのブースＥａ，Ｅｂ…，Ｆａ，Ｆｂ…）において利用者Ｍのバイタルサインを上昇させる室内環境を選択乃至決定し、滞在時間の全期間においてバイタルサインが標準バイタルサインよりも高い割合が多い場合には、次のゾーンＥ，Ｆ（次のゾーンＥ，ＦのブースＥａ，Ｅｂ…，Ｆａ，Ｆｂ…）において利用者Ｍのバイタルサインを低下させる室内環境を選択乃至決定する。なお、第五ゾーンＥ及び第六ゾーンＦの室内環境（ブースＥａ，Ｅｂ…，Ｆａ，Ｆｂ…の環境）は、上述した第二ゾーンＢ、第三ゾーンＣ、及び第四ゾーンＤの室内環境の決定方法と同様の方法で決定される。
【００９０】
本実施形態において、制御手段２０は、第五ゾーンＥの室内環境を決定するのに併せ、第四ゾーンＤで滞在中の利用者Ｍのバイタルサインを基に、各利用者Ｍの身体状態に応じて第五ゾーンＥで補給すべく栄養や水分量を決定する。そして、第五ゾーンＥ（各ブースＥａ，Ｅｂ…）の室内環境を変更するのに併せ、各ブースＥａ，Ｅｂ…に設置したモニタに利用者Ｍが補給すべき栄養や水分の補給量が表示される。これにより、第五ゾーンＥに入室した利用者Ｍは、モニタ２５０の表示に従って、ドリンクやサプリメントで栄養や水分を補給する。
【００９１】
そして、制御手段２０は、次に入室するゾーンＣ，Ｄ，Ｅ，Ｆがない（利用者Ｍが第六ゾーンＦにいる）と判断すると、その利用者Ｍに本実施形態に係る身体機能回復施設１の利用を終了する旨を通知し（Ｓ２２０）、本実施形態に係る施設１の利用を終了することになる（ＥＮＤ）。なお、処理フローには示していないが、本実施形態に係る身体機能回復施設１は、各ゾーンＢ，Ｃ，Ｄ，Ｅ，Ｆでの各利用者Ｍのバイタルサインが分析され、身体状態の変化等が分析結果として出力されるようになっており、利用者Ｍが第六ゾーンＦから第二ゾーンＢに戻って着替え等を行った後、第一ゾーンＡで出力結果（分析結果）についての説明を受けるようになっている。
【００９２】
以上のように、本実施形態に係る身体機能回復施設１によれば、利用者滞在設備１０において、メインルームＤ内の温度が利用者Ｍの体温よりも高い一定又は略一定の設定温度に設定されるとともに、プレルームＢ，Ｃ及びポストルームＥ，Ｆ内の温度がメインルームＤよりも低い一定又は略一定の設定温度に設定されているため、利用者ＭがプレルームＢ，Ｃに一定時間滞在することで、利用者Ｍの身体がプレルームＢ，Ｃの室内の温度に慣れた状態でメインルームＤに入室することができる。また、メインルームＤの入室した利用者Ｍが外部に出るまでに、ポストルームＥ，Ｆに所定時間滞在することで、メインルームＤの室内の温度よりも低い温度に身体が慣れた後に外部に出ることができる。すなわち、上記構成の身体機能回復施設１は、利用者ＭがプレルームＢ，Ｃを経てメインルームＤに入室でき、また、メインルームＤを退室した後に利用者ＭがポストルームＥ，Ｆを経て外部に出ることができるため、メインルームＤに対する入退室時に急激な温度変化がなく、利用者Ｍの身体に対する負担を軽減することができる。
【００９３】
また、上記構成の身体機能回復施設１によれば、メインルームＤ（第四ゾーンＤ）、プレルームＢ，Ｃ（第二ゾーンＢ、第三ゾーンＣ）、又はポストルームＥ，Ｆ（第五ゾーンＥ、第六ゾーンＦ）に滞在中の利用者Ｍのバイタルサインを基に、利用者Ｍの身体状態に相応な室内環境を該利用者Ｍが次に入室するメインルームＤ、プレルームＢ，Ｃ、又はポストルームＥ，Ｆの室内環境として決定する制御手段２０と、制御手段２０によって決定された室内環境をメインルームＤ、プレルームＢ，Ｃ、又はポストルームＥ，Ｆに提供する環境提供手段３０ａ，３０ｂ，３０ｃ，３０ｄ，３０ｅ，３０ｆとを備えているため、プレルームＢ，ＣやメインルームＤの室内の環境によって体調の変化が生じたとしても、次に入室するメインルームＤやポストルームＥ，Ｆに入室することで、体調を適正な状態に是正することができる。
【００９４】
これにより、室内の温度が体温よりも高い温度に設定されたメインルームＤを利用者Ｍが利用する当り、その利用者Ｍの身体に対する負担を軽減させることができ、利用者Ｍに対して有益な効能を十分に与えることができる。
【００９５】
本実施形態の環境提供手段３０ｂ，３０ｃ，３０ｄ，３０ｅ，３０ｆは、室内に音を提供する音響手段３００、及び室内に光を提供する照明手段３１０の少なくとも何れか一方で構成され、制御手段２０は、音響手段３００から室内に発する音の態様、及び照明手段３１０から室内に照射する光の態様の少なくとも何れか一方を決定するように構成されているので、利用者Ｍの身体状態に変化があった場合に、利用者Ｍの身体状態を適正な状態に是正することができる。すなわち、利用者Ｍのバイタルサインに変化があった場合（例えば、脈拍の増減や血圧の上昇或いは降下があった場合）、その身体状態（状況）にあった音の態様、或いは光の態様を利用者Ｍの聴覚或いは視覚に訴えることで、その身体状態を是正できる。
【００９６】
特に本実施形態において、制御手段２０は、音響手段３００から室内に発する音の態様、及び照明手段３１０から室内に照射する光の態様とを関連付けて決定するように構成されているので、利用者Ｍの身体状態に変化があった場合に、音と光の相乗効果により、利用者Ｍの身体状態を効率的に是正することができる。
【００９７】
そして、本実施形態に係る身体機能回復施設１は、メインルームＤ、プレルームＢ，Ｃ、及びポストルームＥ，Ｆのうち、少なくともメインルームＤは、天井、床、及び壁の全てに塩を溶融固化させた塩製タイルＴ…が敷き詰められたソルトルームであることが好ましい。このようにすれば、少なくともメインルームＤにおいて、塩の効能が得られることになり、利用者Ｍにとって有用な効能を与えることができる。
【００９８】
特に、本実施形態においては、メインルームＤの室内の温度が４１℃に設定されるとともに、室内の湿度が４５％に設定されるので、塩の効能を最大限引き出すことのできる環境となるため、メインルームＤにおいて、塩の効能が得られることになり、利用者Ｍに対して有用な効能を十分に与えることができる。
【００９９】
また、本実施形態に係る身体機能回復施設１は、利用者Ｍが装着可能に構成されるとともに、装着した利用者Ｍのバイタルサインを取得可能に構成されたテレメータ５０…を更に備え、テレメータ５０…及び制御手段２０は、利用者Ｍから取得したバイタルサインについての信号を無線通信可能に構成されるこので、利用者Ｍのバイタルサイン（身体状態）を適確に把握でき、利用者Ｍが次に入室するメインルームＤ、プレルームＢ，Ｃ又はポストルームＥ，Ｆの室内環境を現状に応じた適正な環境に決定することができる。
【０１００】
さらに、利用者滞在設備１０は、ポストルームＥ，Ｆの一つの室内が陽圧に設定されているので、利用者滞在設備１０から利用者Ｍが外部に出る前に、利用者Ｍの身体状態を適正な状態に整えることができる。また、ポストルームＥ，Ｆの室内の酸素濃度を外部よりも高濃度に設定されているので、利用者Ｍに必要な酸素を補給させることができ、利用者Ｍの身体状態をよりいっそう適正な状態に整えることができる。
【０１０１】
また、プレルームＢ，Ｃ、メインルームＤ、及びポストルームＥ，Ｆは、それぞれ複数人の利用者Ｍが同時に入室可能に構成され、前記制御手段２０は、複数人の利用者Ｍのバイタルサインを平均化して複数人の利用者Ｍの平均化した身体状態を判断し、少なくともプレルームＢ，Ｃに滞在中の複数人の利用者Ｍの平均化した身体状態を基に、該複数人の利用者Ｍが次に入室するメインルームＤ、プレルームＢ，Ｃ、又はポストルームＥ，Ｆのうち、少なくともメインルームＤ及びプレルームＢ，Ｃの室内環境を該複数人の利用者Ｍの平均化した身体状態に応じて決定するように構成されているので、メインルームＤ、及びプレルームＢ，Ｃで複数人の利用者Ｍを受け入れることができる。
【０１０２】
特に、ポストルームＥ，Ｆは、複数の利用者Ｍのそれぞれが独立した空間で滞在できる複数のブースＥａ，Ｅｂ…，Ｆａ，Ｆｂ…が設けられ、前記環境提供手段３０ａ，３０ｂ，３０ｃ，３０ｄ，３０ｅ，３０ｆは、各ブースＥａ，Ｅｂ…，Ｆａ，Ｆｂ…に対して異なる室内環境を提供可能に構成され、制御手段２０は、メインルームＤに滞在中の複数の利用者Ｍのそれぞれのバイタルサインを基に各利用者Ｍの身体状態を判断し、前記複数のブースＥａ，Ｅｂ…，Ｆａ，Ｆｂ…に対する室内環境を利用者Ｍ毎に決定するので、外部に出る前の利用者Ｍのそれぞれにあった室内環境を提供することができ、各利用者Ｍの身体を外部に出るのに相応しい状態にすることができる。
【０１０３】
尚、本発明の身体機能回復施設は、上記実施形態に限定されるものではなく、本発明の要旨を逸脱しない範囲内において種々変更を加え得ることは勿論である。
【０１０４】
上記実施形態において、ポストルームＥ，Ｆは、複数の利用者Ｍのそれぞれが独立した空間で滞在できる複数のブースＥａ，Ｅｂ…，Ｆａ，Ｆｂ…が設けられ、前記環境提供手段３０ａ，３０ｂ，３０ｃ，３０ｄ，３０ｅ，３０ｆは、各ブースＥａ，Ｅｂ…，Ｆａ，Ｆｂ…に対して異なる室内環境を提供可能に構成され、制御手段２０は、メインルームＤに滞在中の複数の利用者Ｍのそれぞれのバイタルサインを基に各利用者Ｍの身体状態を判断し、前記複数のブースＥａ，Ｅｂ…，Ｆａ，Ｆｂ…に対する室内環境を利用者Ｍ毎に決定するようにしたが、これに限定されるものではなく、例えば、プレルームＢ，Ｃ、メインルームＤ、及びポストルームＥ，Ｆは、それぞれ複数人の利用者Ｍが同時に入室可能に構成され、前記制御手段２０は、複数人の利用者Ｍのバイタルサインを平均化して複数人の利用者Ｍの平均化した身体状態を判断し、プレルームＢ，Ｃ、メインルームＤ、及びポストルームＥ，Ｆに滞在中の複数人の利用者Ｍの平均化した身体状態を基に、該複数人の利用者Ｍが次に入室するメインルームＤ、プレルームＢ，Ｃ、又はポストルームＥ，Ｆの室内環境を該複数人の利用者Ｍの平均化した身体状態に応じて決定するように構成されてもよい。このようにすれば、メインルームＤ、及びプレルームＢ，Ｃで複数人の利用者Ｍを受け入れることができる。
【０１０５】
上記実施形態において、第一ゾーンＡから第六ゾーンＦのそれぞれに対し、複数人の利用者Ｍを一グループにして入室させるようにしたが、これに限定されるものではなく、例えば、利用者Ｍを一人ずつ第一ゾーンＡから第六ゾーンＦに向けて順々に入室させるようにしてもよい。この場合、利用者Ｍのバイタルサインを平均化する必要がないため、個人のバイタルサインと標準バイタルサインと比較して次のゾーンの室内環境を決定するようにしてもよい。
【０１０６】
上記実施形態において、第五ゾーンＥの室内の酸素濃度を高濃度にし、第六ゾーンＦの室内を陽圧にするとともの酸素濃度を高濃度にしたが、これに限定されるものではなく、第五ゾーンＥ及び第六ゾーンＦを第四ゾーンＤと同様に常圧で且つ酸素濃度を外部と同じようにしてもよい。また、第五ゾーンＥ又は第六ゾーンＦの何れか一方の室内の酸素濃度を高濃度にし、他方の室内を常圧で且つ酸素濃度を外部と同じようにしてもよい。但し、利用者Ｍの身体を第四ゾーンＤで活性化させた後にその身体をケアするには、上記実施形態と同様にすることが好ましい。
【０１０７】
上記実施形態において、次のゾーンの室内環境を決定するに当り、標準バイタルサインのテーブルＴａ，Ｔｂを用いるようにしたが、例えば、図８に示すように、標準バイタルサインと利用者Ｍのバイタルサイン（又は、平均バイタルサイン）を経時的に比較し、そのトータル時間でバイタルサイン（又は、平均バイタルサイン）が標準バイタルサインをどのような割合で超えているのか、或いはどのような割合で下回っているのかを判断し、次のゾーンの室内環境を決定してもよい。
【０１０８】
上記実施形態において、各ゾーンの室内の温度及び湿度をコントロールして一定又は略一定に保つようにしたが、湿度に対するコントロールは必須ではなく、必要に応じて行えばよい。但し、メインルーム（第四ゾーン）Ｄをソルトルームで構成する場合、室内の温度及び湿度をコントロールすることが好ましい。この場合、ソルトルームは、室内の温度が３８℃〜４３℃に設定されるとともに、室内の湿度が４２％〜４７％に設定されることが好ましく、塩の効能を最大限に発揮させるには、室内の温度が４１℃に設定されるとともに、室内の湿度が４５％に設定されることがより好ましい。
【０１０９】
上記実施形態において、第六ゾーンＦの室内全体の酸素濃度を高濃度にするようにしたが、例えば、室内全体を陽圧にするとともに、利用者Ｍ毎に利用できる酸素吸入器を室内に設置するようにしてもよい。また、第六ゾーンＦを気密に区切られた複数のブースで構成し、ブース毎に圧力や酸素濃度を利用者Ｍの身体状態に応じて設定するようにしてもよい。
【０１１０】
上記実施形態において、第二ゾーンＢ、第三ゾーンＣ、第四ゾーンＤ、第五ゾーンＥ、又は第六ゾーンＦの何れかのゾーンで滞在する利用者Ｍのバイタルサインをテレメータ５０で取得して無線通信で制御手段２０に送信するようにしたが、これに限定されるものではなく、例えば、各ゾーンＢ，Ｃ，Ｄ，Ｅ，Ｆに定置式のテレメータを設置するとともに、テレメータを制御手段２０２０に繋がるバスラインＬに対して有線で接続するようにしてもよい。
【０１１１】
上記実施形態において、利用者滞在設備１０として、メインルームＤを一つ、プレルームＢ，Ｃを二つ、ポストルームを二つ備えたものを一例に説明したが、利用者滞在設備１０は、これに限定されるものではなく、メインルームＤ、プレルームＣ、及びポストルームＦをそれぞれ少なくとも一つ備えればよい。但し、プレルーム及びポストルームの室内の温度をメインルームＤの室内の温度よりも低いことを前提に、利用者Ｍがプレルームからメインルームへ移動する際、メインルームからポストルームに移動する際に急激な環境の変化（温度変化）を感じないように設定することは言うまでもない。なお、メインルームＤと利用者がメインルームＤに入室する直前に滞在するプレルームＣとの温度差が５℃程度で湿度差が５％程度であることが好ましく、プレルームが二つ以上設けられる場合には、それぞれ、温度差が５℃程度で湿度差が５％程度ずつ異なるように設定することが好ましい。また、メインルームＤと利用者がメインルームＤに退室した直後に滞在するポストルームＥとの温度差が５℃程度で湿度差が５％程度であることが好ましく、ポストルームが二つ以上設けられる場合には、それぞれ、温度差が５℃程度で湿度差が５％程度ずつ異なるように設定することが好ましい。なお、言うまでもないが、プレルームが二つ以上設けられる場合には、メインルームＤに向かうにつれて各プレルームの室内の温度及び室内湿度が高くなるように設定され、ポストルームが二つ以上設けられる場合には、メインルームＤから離れるにつれて各ポストルームの室内の温度及び室内湿度が低くなるように設定される。
【０１１２】
上記実施形態において、第五ゾーンＥ及び第六ゾーンＦに複数のブースＥａ，Ｅｂ…、Ｆａ，Ｆｂ…を設けたが、これに限定されるものではなく、例えば、第二ゾーンＢ、第三ゾーンＣ、第四ゾーンＤと同様に、第五ゾーンＥ及び第六ゾーンＦのそれぞれを共有のスペースにしてもよい。また、第五ゾーンＥ又は第六ゾーンＦの何れか一方に複数のブースＥａ，Ｅｂ…、Ｆａ，Ｆｂ…を設けるとともに、他方を共有のスペースにしてもよい。
【０１１３】
上記実施形態において、利用者Ｍに相応な室内環境を提供すべく、音響手段３００から室内に発する音の態様、及び照明手段３１０から室内に照射する光の態様を関連づけて決定するようにしたが、これに限定されるものではなく、例えば、利用者Ｍに相応な室内環境を提供すべく、音響手段３００から室内に発する音の態様、及び照明手段３１０から室内に照射する光の態様の何れか一方を決定するようにしてもよい。また、上記実施形態において、利用者Ｍに相応しい室内環境を提供する要素として、光の態様及び音の態様を用いたが、これに限定されるものではなく、例えば、アロマテレピー等で用いられる臭いの態様を独立して、或いは、臭いの態様（種類）を光の態様や音の態様と組み合わせて室内に提供し、利用者の身体状態に相応する室内環境にするようにしてもよい。すなわち、利用者の視覚に訴えるものや、利用者の聴覚に訴えるもの、利用者の臭覚に訴えるもの等の身体（肉体的又は精神的）に影響を与える要素の何れか一つ、または、これらの組み合わせを室内に提供するようにしてもよい。
【０１１４】
上記実施形態において、メインルームＤをソルトルームで構成したが、これに限定されるものではなく、室内を高温多湿にしたサウナをメインルームとしてもよい。但し、背景技術で説明したように、サウナはソルトルームとは異なり利用者の身体への負担が非常に大きいため、体力の低下した人や老人、子供等の万人が利用できるようにするには、メインルームをソルトルームで構成することが好ましいことは言うまでもない。
【０１１５】
また、上記実施形態において、メインルームＤのみをソルトルームで構成したが、これに限定されるものではなく、プレルームＢ，Ｃ及びポストルームＥ，Ｆもソルトルームで構成してもよい。但し、プレルームＢ，Ｃ及びポストルームＥ，Ｆの室内の温度をメインルームＤの室内の温度よりも低く設定することは勿論のことである。
【０１１６】
上記実施形態において、第一ゾーンＡで問診等を行うようにしたが、これに限定されるものではなく、例えば、第二ゾーンＢで問診や入力端末４０によるバイタルサインの入力を行うようにしてもよい。
【産業上の利用可能性】
【０１１７】
本発明の身体機能回復施設は、利用者の身体の状態を良好にすることを目的とする施設、例えば、リハビリテーションサービスを提供する介護施設や、医療施設、美容施設に利用することができる。
【符号の説明】
【０１１８】
１…身体機能回復施設、１０…利用者滞在設備、２０…制御手段、３０ａ，３０ｂ，３０ｃ，３０ｄ，３０ｅ，３０ｆ…環境提供手段、４０…入力端末、５０…テレメータ、６０…受信手段、２３０…メディアドライブ、２４０…入力手段、２４０ａ…キーボード、２４０ｂ…マウス、２５０…モニタ、３００…音響手段、３１０…照明手段、３２０…温度管理手段、３３０…湿度管理手段、３４０…圧力管理手段、３５０…酸素濃度管理手段、Ａ…フロントルーム（第一ゾーン）、Ｂ…プレルーム（第二ゾーン）、Ｃ…プレルーム（第三ゾーン）、Ｄ…メインルーム（第四ゾーン）、Ｅ…ポストルーム（第五ゾーン）、Ｅａ，Ｅｂ…ブース、Ｆ…ポストルーム（第六ゾーン）、Ｆａ，Ｆｂ…ブース、Ｓ…スタッフルーム、Ｇ…扉、Ｌ…バスライン、Ｍ…利用者、Ｔ…塩製タイル
【図１】
2010261235.tif 000003
【図２】
2010261235.tif 000004
【図３】
2010261235.tif 000005
【図４】
2010261235.tif 000006
【図５】
2010261235.tif 000007
【図６】
2010261235.tif 000008
【図７】
2010261235.tif 000009
【図８】
2010261235.tif 000010